(57)【特許請求の範囲】
【請求項１】
基地局から受信データを受信するための受信用周波数生成器と、前記基地局へ送信データを送信し、かつ、周辺ゾーンのキャリア受信用周波数を生成するための送信用周波数生成器とを備える移動無線機の制御方法であって、
連続する複数の自局受信スロットにおいて、前記受信用周波数生成器を用いて前記受信データを受信する第１のステップと、
規定の自局送信スロットにおいて、前記送信用周波数生成器を用いて前記送信データを送信する第２のステップと、
前記自局送信スロットと重ならない第１の自局受信スロットにおいて、前記送信用周波数生成器を用いて前記周辺ゾーンのキャリア受信レベルを監視するための測定を行なう第３のステップとを備える移動無線機の制御方法。
【請求項２】
前記自局送信スロットと重なる第２の自局受信スロットにおいて、前記受信データの受信タイミングを得るための同期ワード検出、または受信感度の良好なアンテナを選択するためのダイバーシチ制御を行なう第４のステップをさらに備える、請求項１に記載の移動無線機の制御方法。
【請求項３】
前記自局受信スロットは、データ部と非データ部とを含み、
前記第４のステップにおいて、前記第２の自局受信スロット内の前記非データ部の受信タイミングで前記同期ワード検出または前記ダイバーシチ制御が行なわれる、請求項２に記載の移動無線機の制御方法。
【請求項４】
前記自局受信スロットは、データ部と非データ部とを含み、
前記第３のステップにおいて、前記第１の自局受信スロット内の前記非データ部の受信タイミングで前記周辺ゾーンのキャリア受信レベルを監視するための測定が行なわれる、請求項１に記載の移動無線機の制御方法。
【請求項５】
基地局から受信データを受信するための受信用周波数生成器と、前記基地局へ送信データを送信し、かつ、周辺ゾーンのキャリア受信用周波数を生成するための送信用周波数生成器とを備える移動無線機の制御方法であって、
連続する第１から第３の自局受信スロットにおいて、前記受信用周波数生成器を用いて前記受信データを受信する第１のステップと、
規定の自局送信スロットにおいて、前記送信用周波数生成器を用いて前記送信データを送信する第２のステップと、
前記第１から第３の自局受信スロットの各々において、第１から第３の通信制御処理のいずれかを行なう第３のステップと、
前記第１の自局受信スロットにおける受信データに含まれる衝突制御ビットに基づいて前記送信データの送信が可能か否かを判断する第４のステップとを備え、
前記第１の通信制御処理は、前記受信データの受信タイミングを得るための同期ワード検出を行なう処理であり、
前記第２の通信制御処理は、前記送信用周波数生成器を用いて前記周辺ゾーンのキャリア受信レベルを監視するための測定を行なう処理であり、
前記第３の通信制御処理は、受信感度の良好なアンテナを選択するためのダイバーシチ制御を行なう処理であり、
前記移動無線機側に前記送信データがあり、かつ、前記第４のステップにおいて前記送信データの送信が可能と判断されたとき、前記第３のステップにおいて、前記自局送信スロットと重なる前記第３の自局受信スロットで前記第１または第３の通信制御処理が行なわれる、移動無線機の制御方法。
【請求項６】
前記第１の自局受信スロットにおいて行なわれる前記第１から第３の通信制御処理のいずれかに基づいて、前記第２および第３の自局受信スロットの各々において行なう前記第１から第３の通信制御処理のいずれかを決定する第５のステップをさらに備える、請求項５に記載の移動無線機の制御方法。
【請求項７】
前記第３のステップにおいて、前記第１の通信制御処理は、前記第１から第３の自局受信スロットのいずれかに固定されて行なわれる、請求項５に記載の移動無線機の制御方法。
【請求項８】
連続する複数の自局受信スロットにおいて基地局から受信データを受信し、規定の自局送信スロットにおいて前記基地局へ送信データを送信する送受非対称通信を行なう移動無線機であって、
前記基地局から前記受信データを受信するための受信用周波数を生成する受信用周波数生成器と、
前記基地局へ前記送信データを送信するための送信用周波数および周辺ゾーンのキャリア受信用周波数を生成する送信用周波数生成器と、
前記受信用周波数生成器を用いて前記受信データを受信する受信部と、
前記送信用周波数生成器を用いて前記周辺ゾーンのキャリア受信レベルを監視するための測定を行なう受信レベル測定部と、
前記自局送信スロットと重ならない第１の自局受信スロットにおいて、前記受信部が前記受信データを受信し、かつ、前記受信レベル測定部が前記測定を行なうように前記受信部および前記受信レベル測定部を制御する制御部とを備える移動無線機。
【請求項９】
前記送信用周波数生成器を用いて前記送信データを送信する送信部をさらに備え、
前記制御部は、前記自局送信スロットと重なる第２の自局受信スロットにおいて、前記送信部が前記送信データを送信するように前記送信部を制御し、かつ、前記受信データの受信タイミングを得るための同期ワード検出または受信感度の良好なアンテナを選択するためのダイバーシチ制御を行なう、請求項８に記載の移動無線機。
【発明の詳細な説明】
【０００１】
【発明の属する技術分野】
この発明は、移動無線機の制御方法および移動無線機に関し、たとえば、移動無線機が送信時に１スロットを使用し、受信時に３スロットを使用して通信を行なう、移動無線機の制御方法および移動無線機に関する。
【０００２】
【従来の技術】
図６は従来のシングルバンド対応電話システムにおける無線移動機のハードウエア構成例を示すブロック図である。図６において送受信用の外部引出しアンテナ１ａと受信用内蔵アンテナ１ｂとは送受信選択切換回路２に接続されており、送受信選択切換回路２はアンテナ１ａまたは１ｂで受信された受信信号のうち受信感度の良好な方の受信信号を受信系回路３に出力し、送信系回路４からの送信信号をアンテナ１ａに出力するように切換える。
【０００３】
送信系回路４はＰＬＬ回路６で発振される局部発振信号に基づいて、ベースバンド信号を受信周波数とは異なる周波数の送信信号に変換する。ＰＬＬ回路６は送信時と後述の周辺ゾーン監視時に動作し、ＰＬＬ回路５はそれ以外の受信時に動作するようにベースバンド処理部８によって制御される。すなわち、ＰＬＬ回路６は、送信時には局部発振信号を送信系回路４に与え、周辺ゾーン監視時は局部発振信号を受信系回路３に与え、ＰＬＬ回路５は受信時に局部発振信号を受信系回路３に与える。受信系回路３はＰＬＬ回路５で発振される局部発振信号に基づいて受信信号をベースバンド信号に変換して受信レベル測定回路７に出力するとともに、ベースバンド処理部８に出力する。
【０００４】
ところで、携帯電話システムにおいては、図７に示すように、現在無線移動機Ｍ１がある基地局Ｂ１のゾーンＡ１内にあるとき、図６に示した受信レベル測定回路７によって、そのゾーンＡ１の周辺基地局のキャリア受信レベルを絶えず測定（以下、周辺ゾーン監視と称する）し、無線移動機がその基地局のゾーン内にいても何らかの障害により受信レベルが低下し、周辺の基地局Ｂ２のキャリア受信レベルの方が高いとき、そちらの基地局Ｂ２の電波を受信できるように制御することが行なわれている。
【０００５】
図８は周辺ゾーン監視用キャリア受信レベル測定のためのスロット例である。図８において、（ａ），（ｂ）は基地局の受信，送信のタイムスロットを示し、（ｃ），（ｄ）は無線移動機の送信，受信のタイムスロットを示している。そして、記号Ｒは受信，Ｔは送信，Ｂは基地局側，Ｍは無線移動機側および０〜２はスロット番号を示す。このスロットはフレームデータをＴＤＭＡで時分割することにより割り当てられる。
【０００６】
基地局から（ｂ）に示すスロットＴ−Ｂ２が送信されると、当該無線移動機側では（ｄ）に示すように、そのスロットをＲ−Ｍ２として受信し、続いて基地局から継続スロットの最終スロットＴ−Ｂ０が送信されると、当該無線移動機側ではそのスロットをＲ−Ｍ０として受信する。基地局は続いて他の無線移動機のためのスロットＴ−Ｂ１を送信する。当該無線移動機ではそのスロットは、自局の通信用物理チャネルの割り当てではない、あるいは他局宛のスロットであると判断する。
【０００７】
基地局が続いてスロットＴ−Ｂ２を送信すると、当該無線移動機ではそのスロットを自局宛のスロットＲ−Ｍ２として受信する。基地局がアイドルスロットＴ−Ｂ０を送信すると、当該無線移動機では受信する必要のないアイドルスロットであると判断する。当該無線移動機では、受信した各スロットのデータをバッファメモリに蓄積し、フレームデータを再構成する。
【０００８】
無線移動機は、上記自局通信用物理チャネルの割り当てではない、または他局宛のスロットＲ−Ｍ１、あるいはアイドルスロットＲ−Ｍ０であると判断したとき、そのスロットが送出される期間内で、周辺ゾーン監視のために基地局の周辺ゾーンキャリア受信レベルの測定を行なう。
【０００９】
図９は基地局から伝送される下り信号フォーマットを示す図であり、ＲＣＲー２７電波産業会の規格書に規定されているものである。
【００１０】
図９において、下り信号フォーマットは２８０ビットのスロットが連続してフレームを構成している。すなわち、バースト過度応答用時間Ｒ（４ビット），プリアンブルＰ（２ビット），情報ビットＣＡＣ（１１２ビット）、無線移動機が受信するデータのタイミングを得るための特定のビットパターンを有する同期ワードＳＷ（２０ビット），異なるゾーンからの同一周波数の無線信号の干渉を検出するためのカラーコードＣＣ（８ビット），情報ビットＣＡＣ（１１２ビット），複数の無線移動機からのランダム送信を制御し，それらの信号に対する受信状態を知らせるための衝突制御ビットＥ（２２ビット）から構成されている。このうちＳＷとＣＣとを合わせた２８ビットをここでは非データ部分と呼ぶ。
【００１１】
衝突制御ビットＥは送信許可／不許可を示すＩ／Ｂ，受信／非受信を示すＲ／Ｎおよび基地局側ＣＡ誤り訂正後ＣＲＣ  ＰＥから成っていて、Ｉ／Ｂ＝“１”で送信許可，Ｉ／Ｂ＝“０”で送信不可と判断される。
【００１２】
ところで、３スロットを連続で受信する高速パケット通信では、ゾーン移行するための周辺ゾーン監視用モニタをするタイミングが所定の時間内にできなければ、無線移動機は基地局側に対して送信を止めるように要請する制御方法がある。基地局側が送信を停止したところで無線移動機は受信スロットの空きタイミングができ、そのときに周辺ゾーン監視レベルを測定する。
【００１３】
また、送受信のための周波数設定とは別に、周辺ゾーン監視レベル測定を行なう局部発振信号器を持たせることにより送受信中でも周辺ゾーン監視レベル測定を行なうことができる。
【００１４】
【発明が解決しようとする課題】
しかしながら、周辺ゾーン監視レベル検出を行なうために別の局部発振信号器を持たせることは無線移動機の小型・軽量化および低消費電力化の面から実用的でない。また、受信スループットを落とさないために周辺ゾーン監視による連続スロットの中断を防止する必要がある。
【００１５】
この課題を解決するための一例として、特開平９−３６８００号公報には、同期ワード（ＳＷ），カラーコード（ＣＣ）あるいは衝突制御ビット（Ｅ）の１つまたはこれらを組み合わせた受信タイミングで周辺ゾーン監視レベルを測定するために局部発振信号を切換えるようにした移動無線機について記載されている。
【００１６】
それゆえに、この発明の主たる目的は、局部発振信号器を別途設けることなく連続的な情報の送受信と周辺ゾーン監視レベル測定を行うことができ、上記特開平９−３６８００号公報に記載された装置とは異なる、移動無線機の制御方法および移動無線機を提供することである。
【００１７】
【課題を解決するための手段】
この発明によれば、移動無線機の制御方法は、基地局から受信データを受信するための受信用周波数生成器と、基地局へ送信データを送信し、かつ、周辺ゾーンのキャリア受信用周波数を生成するための送信用周波数生成器とを備える移動無線機の制御方法であって、連続する複数の自局受信スロットにおいて、受信用周波数生成器を用いて受信データを受信する第１のステップと、規定の自局送信スロットにおいて、送信用周波数生成器を用いて送信データを送信する第２のステップと、自局送信スロットと重ならない第１の自局受信スロットにおいて、送信用周波数生成器を用いて周辺ゾーンのキャリア受信レベルを監視するための測定を行なう第３のステップとを備える。
【００１８】
好ましくは、移動無線機の制御方法は、自局送信スロットと重なる第２の自局受信スロットにおいて、受信データの受信タイミングを得るための同期ワード検出、または受信感度の良好なアンテナを選択するためのダイバーシチ制御を行なう第４のステップをさらに備える。
【００１９】
好ましくは、自局受信スロットは、データ部と非データ部とを含み、第４のステップにおいて、第２の自局受信スロット内の非データ部の受信タイミングで同期ワード検出またはダイバーシチ制御が行なわれる。
【００２０】
好ましくは、自局受信スロットは、データ部と非データ部とを含み、第３のステップにおいて、第１の自局受信スロット内の非データ部の受信タイミングで周辺ゾーンのキャリア受信レベルを監視するための測定が行なわれる。
【００２１】
また、この発明によれば、移動無線機の制御方法は、基地局から受信データを受信するための受信用周波数生成器と、基地局へ送信データを送信し、かつ、周辺ゾーンのキャリア受信用周波数を生成するための送信用周波数生成器とを備える移動無線機の制御方法であって、連続する第１から第３の自局受信スロットにおいて、受信用周波数生成器を用いて受信データを受信する第１のステップと、規定の自局送信スロットにおいて、送信用周波数生成器を用いて送信データを送信する第２のステップと、第１から第３の自局受信スロットの各々において、第１から第３の通信制御処理のいずれかを行なう第３のステップと、第１の自局受信スロットにおける受信データに含まれる衝突制御ビットに基づいて送信データの送信が可能か否かを判断する第４のステップとを備え、第１の通信制御処理は、受信データの受信タイミングを得るための同期ワード検出を行なう処理であり、第２の通信制御処理は、送信用周波数生成器を用いて周辺ゾーンのキャリア受信レベルを監視するための測定を行なう処理であり、第３の通信制御処理は、受信感度の良好なアンテナを選択するためのダイバーシチ制御を行なう処理であり、移動無線機側に送信データがあり、かつ、第４のステップにおいて送信データの送信が可能と判断されたとき、第３のステップにおいて、自局送信スロットと重なる第３の自局受信スロットで第１または第３の通信制御処理が行なわれる。
【００２２】
好ましくは、移動無線機の制御方法は、第１の自局受信スロットにおいて行なわれる第１から第３の通信制御処理のいずれかに基づいて、第２および第３の自局受信スロットの各々において行なう第１から第３の通信制御処理のいずれかを決定する第５のステップをさらに備える。
【００２３】
好ましくは、第３のステップにおいて、第１の通信制御処理は、第１から第３の自局受信スロットのいずれかに固定されて行なわれる。
【００２４】
また、この発明によれば、移動無線機は、連続する複数の自局受信スロットにおいて基地局から受信データを受信し、規定の自局送信スロットにおいて基地局へ送信データを送信する送受非対称通信を行なう移動無線機であって、基地局から受信データを受信するための受信用周波数を生成する受信用周波数生成器と、基地局へ送信データを送信するための送信用周波数および周辺ゾーンのキャリア受信用周波数を生成する送信用周波数生成器と、受信用周波数生成器を用いて受信データを受信する受信部と、送信用周波数生成器を用いて周辺ゾーンのキャリア受信レベルを監視するための測定を行なう受信レベル測定部と、自局送信スロットと重ならない第１の自局受信スロットにおいて、受信部が受信データを受信し、かつ、受信レベル測定部が測定を行なうように受信部および受信レベル測定部を制御する制御部とを備える。
【００２５】
好ましくは、移動無線機は、送信用周波数生成器を用いて送信データを送信する送信部をさらに備え、制御部は、自局送信スロットと重なる第２の自局受信スロットにおいて、送信部が送信データを送信するように送信部を制御し、かつ、受信データの受信タイミングを得るための同期ワード検出または受信感度の良好なアンテナを選択するためのダイバーシチ制御を行なう。
【００２８】
【発明の実施の形態】
図１はこの発明の３スロットを連続で受信する高速パケット通信における自局送信判断決定タイミングを説明するための図であり、図２は自局送受信タイミングを説明するための図である。まず、図１および図２を参照して、この発明の概念について説明する。
【００２９】
図１に示すように１つのサブフレーム内に３つの受信スロット＃０、＃１、＃２が割り当てられており、これらの３つの受信スロット＃０、＃１、＃２が連続して受信される。
【００３０】
たとえば、スロットｎのタイミングおいて、ある無線移動機＃１が自局送信データありの場合、自局受信スロット＃０で受信した衝突制御ビット（図９参照）情報により、該当する自局送信スロット＃０の送信判断が行われる。そして、自局送信スロット＃０とタイミングが重なる自局受信スロット内の非データ部（ＳＷ＋ＣＣ）で同期ワード検出動作（ＳＷ）またはダイバーシチ動作（Ｄｉｖ）を行なう。
【００３１】
また、図２に示すように３スロット＃０，＃１，＃２を連続受信し、送信スロット＃０を連続して送信するとき、送信スロット＃０と受信スロット＃２がほぼ重なってしまうが、自局受信スロット＃１，＃０では送信スロットと重ならないように制御される。
【００３２】
図３はこの発明の一実施形態のより具体的な動作を説明するためのタイムチャートであり、３スロット受信／１スロット送信ダイナミック制御シーケンスを示す。なお、図３において（ａ）は受信スロットを示し、（ｂ）は送信スロットを示す。
【００３３】
図９で説明した各スロットの同期ワードＳＷと、カラーコードＣＣとを合せた２８ビットの期間に、同期ワード検出動作（ＳＷ）と、周辺ゾーン監視動作（Ｚｏｎｅ）と、ダイバーシチ動作（Ｄｉｖ）が行なわれる。
【００３４】
ところが、上記の２８ビット期間に周辺ゾーン監視動作（Ｚｏｎｅ）をしようとすると、送信周波数と、受信周波数と、周辺ゾーン監視のための３つの周波数を使用することになる。そこで、この発明の実施形態では、送信スロットと受信スロットとが重なる場合には、周辺ゾーン監視動作（Ｚｏｎｅ）以外のダイバーシチ動作（Ｄｉｖ）を割り当てることにより、２つ以上の周波数を使用しないようにする。この場合、同期ワード検出動作（ＳＷ）を割り当ててもよいが、送信スロットと受信スロットとが重なる場合は、無線特性が確保されていないことを想定して送信中のＳＷ検出特性への影響を最小限にするために、この実施形態ではダイバーシチ動作（Ｄｉｖ）が割り当てられている。
【００３５】
図３では、無線移動機の同期ワード検出動作をＳＷで示し、周辺ゾーン監視をＺｏｎｅで示し、ダイバーシチ動作をＤｉｖで示している。また、図３（ａ）において、ＰＬＬ回路５のＯＮは、図６に示したＰＬＬ回路５が受信動作中は動作状態になっていることを示している。さらに、図３（ｂ）のＰＬＬ回路６のＯＦＦはＰＬＬ回路６が動作を停止していることを示し、ＯＮ（Ｚｏｎｅ）は周辺ゾーン監視のために動作していることを示し、ＯＮ（ＴＸ）は送信のために動作していることを示している。
【００３６】
以上の説明を前提として、この発明の一実施形態の動作について詳細に説明する。まず、初期値として最初のサブフレーム１の受信スロット０に同期ワード検出動作（ＳＷ）が割り当てられ、次の受信スロット１に周辺ゾーン監視（Ｚｏｎｅ）が割り当てられ、さらに次の受信スロット２にダイバーシチ動作（Ｄｉｖ）が割り当てられる。
【００３７】
最初の受信スロット０により同期ワード検出動作（ＳＷ）が行なわれ、送信要求がありかつ最初の受信スロット０の衝突制御ビットＥが送信許可を示していれば図３（ｂ）に示す送信スロット０で送信される。そのときの受信スロット番号をｎとすると、その送信スロットとほぼ同じタイミングの受信スロットｎ＋２にダイバーシチ動作（Ｄｉｖ）が割り当てられる。
【００３８】
次の受信スロット１の２８ビットには周辺ゾーン監視動作（Ｚｏｎｅ）が設定されているため、ＰＬＬ回路６は周辺ゾーン監視動作（Ｚｏｎｅ）のために局部発振信号を受信系回路３に与えて周辺ゾーン監視動作（Ｚｏｎｅ）が行なわれる。さらに、次の受信スロット２ではダイバーシチ動作（Ｄｉｖ）が割り当てられるので、受信スロット０の受信周波数をそのまま使って図６に示した２つのアンテナ１ａ，１ｂの受信レベルが受信レベル測定回路７によって測定され、受信感度のよいアンテナが判別され、送受信選択切換回路２によって、そのアンテナ側に切換えられる。このようにして、サブフレーム１の動作が行なわれるが、最大でも２つの周波数しか使用されない。
【００３９】
次のサブフレーム２において、初期値と同様にして各受信スロットに同期ワード検出動作（ＳＷ），周辺ゾーン監視動作（Ｚｏｎｅ），ダイバーシチ動作（Ｄｉｖ）が割り当てられる。この２番目のサブフレームにおいて、受信スロット１で周辺ゾーン監視動作（Ｚｏｎｅ）が行なわれ、その衝突制御ビットＥが送信許可を示しているものとする。さらに受信スロット２でダイバーシチ動作（Ｄｉｖ）が行なわれる。
【００４０】
次のサブフレーム３の最初の受信スロット０とほぼ同じタイミングで送信が行なわれるが、このときの受信スロット０ではこれまでのサブフレーム１，２と異なりダイバーシチ動作（Ｄｉｖ）が割り当てられる。その理由は、同期ワード検出動作（ＳＷ）は比較的重要な動作であり、これが送信と重ならないように代わりにダイバーシチ動作（Ｄｉｖ）が割り当てられている。
【００４１】
要するに、この発明の実施形態では送信動作と周辺ゾーン監視動作（Ｚｏｎｅ）とが重ならないように制御される。それにより、受信の周波数と周辺ゾーン監視動作（Ｚｏｎｅ）のための周波数２つだけ、または受信の周波数と送信の周波数の２つだけで済み、２つ以上の周波数を使用する必要がなくなる。次の受信スロット１に同期ワード検出動作（ＳＷ）が割り当てられ、受信スロット２に周辺ゾーン監視動作（Ｚｏｎｅ）が割り当てられる。これは、最初に同期ワード検出動作（ＳＷ），周辺ゾーン監視動作（Ｚｏｎｅ），ダイバーシチ動作（Ｄｉｖ）という順に割り当てることを決めているためである。
【００４２】
サブフレーム４では、受信スロット０にダイバーシチ動作（Ｄｉｖ）が割り当てられ、その受信スロット０の衝突制御ビットＥが送信許可を示していれば、送信スロット０が決定される。受信スロット１では同期ワード検出動作（ＳＷ）が割り当てられ、その次の受信スロット２には本来周辺ゾーン監視動作（Ｚｏｎｅ）が割り当てられるが、このときタイミングがほぼ重なる送信スロット０が送信状態であり、ＰＬＬ回路６がＯＮして局部発振信号を送信系回路４に出力しており、周辺ゾーン監視Ｚｏｎｅを割り当てると送信状態と衝突してしまうので、ダイバーシチ動作（Ｄｉｖ）が割り当てられる。
【００４３】
図４は上述の同期ワード検出動作（ＳＷ），周辺ゾーン監視動作（Ｚｏｎｅ），ダイバーシチ動作（Ｄｉｖ）の３動作決定アルゴリズムを説明するための図であり、（ａ）は受信スロット番号ｎの衝突ビットを解析した結果、送信要求がスロット番号ｎ＋１のＳＷ＋ＣＣへ突入するまでにセットされた場合を示し、（ｂ）は同じく送信要求がスロット番号ｎ＋１の（ＳＷ＋ＣＣ）部へ突入するまでにセットされなかった場合を示している。
【００４４】
図３に示した制御シーケンスにおいて同期ワード検出動作（ＳＷ），周辺ゾーン監視動作（Ｚｏｎｅ）、ダイバーシチ動作（Ｄｉｖ）の３動作は次の順で決定される。
（ａ）送信要求がない場合は、同期ワード検出動作（ＳＷ），周辺ゾーン監視動作（Ｚｏｎｅ）、ダイバーシチ動作（Ｄｉｖ）の３つの動作順序は固定とされる。
（ｂ）受信スロットの後半に位置する衝突ビットを解析することにより送信の決定が行なわれる。
（ｃ）受信スロットの後半に位置する衝突ビットの解析により送信と判断した場合、現受信スロット（スロット番号ｎ）に対して送信スロットはほぼスロット番号ｎ＋２となる。
（ｄ）上記スロット番号ｎ＋２は、送信中のＳＷ検出特性への影響を最小限にするため、ダイバーシチ動作（Ｄｉｖ）が割り当てられる。
（ｅ）残るスロット番号ｎ＋１については、図４にしたがって決定される。
（ｆ）スロット番号がｎ＋１のＳＷ＋ＣＣ部へ突入するまでの間に送信要求があれば図４（ａ）に従い、上記タイミングで送信要求がない場合には図４（ｂ）のアルゴリズムが適用される。
【００４５】
図５は同期ワード検出動作（ＳＷ）スロットを固定した、部分ダイナミック制御シーケンスを示す図であり、（ａ）は受信側を示し、（ｂ）は送信側を示す。図３に示した実施形態では、同期ワード検出動作（ＳＷ）が各スロットごとにずれてしまっているが、この図５に示した実施形態では同期ワード検出動作（ＳＷ）の位置を固定にする。これは同期ワード検出動作（ＳＷ）の位置を定期的に検出する必要がある場合に適用される。すなわち、各サブフレーム１〜４において、受信スロット０には同期ワード検出動作（ＳＷ）が割り当てられ、受信スロット１，２に対して周辺ゾーン監視動作（Ｚｏｎｅ）あるいはダイバーシチ動作（Ｄｉｖ）が割り当てられる。
【００４６】
サブフレーム２の受信スロット１で周辺ゾーン監視動作（Ｚｏｎｅ）が割り当てられ、その衝突ビットＥが送信許可を示していれば、送信が決定され、サブフレーム３の送信スロット１で送信される。このとき、受信スロット０は同期ワード検出動作（ＳＷ）が割り当てられているため、周波数が衝突することはない。
【００４７】
今回開示された実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【００４８】
【発明の効果】
以上のように、この発明によれば、受信するデータのタイミングを得るための同期ワード検出スロットと、周辺ゾーンキャリア受信レベルを監視するための測定スロットと、受信感度の良好なアンテナを選択するダイバーシチスロットを、自局の送信スロット位置に応じて動的に変更し、割り当てたスロット内の非データ部で処理を行なうことによって連続スロットの送信が妨げられることがない。
【図面の簡単な説明】
【図１】３スロットを連続で受信する高速パケット通信における自局送信判断決定タイミングを説明するための図である。
【図２】自局送受信タイミングを説明するための図である。
【図３】この発明の一実施形態の動作を説明するためのタイムチャートである。
【図４】この発明の一実施形態の具体的な動作を説明するための３動作決定アルゴリズム例を示す図である。
【図５】この発明の他の実施形態の動作を説明するためのタイムチャートである。
【図６】従来のシングルバンド対応電話システムにおける無線移動機のハードウエア構成例を示すブロック図である。
【図７】周辺ゾーン構成例を示す図である。
【図８】周辺ゾーン監視用キャリア受信レベル測定に割り当て可能なスロット例を示す図である。
【図９】基地局から伝送される下り信号フォーマットを示す図である。
【符号の説明】
１  アンテナ、２  送受信選択切換回路、３  受信系回路、４  送信系回路、５，６  ＰＬＬ回路、７  受信レベル測定回路、８  ベースバンド処理部。
【図１】
0003540298.tif 000002
【図２】
0003540298.tif 000003
【図３】
0003540298.tif 000004
【図４】
0003540298.tif 000005
【図５】
0003540298.tif 000006
【図６】
0003540298.tif 000007
【図７】
0003540298.tif 000008
【図８】
0003540298.tif 000009
【図９】
0003540298.tif 000010